(57)【要約】      （修正有）【課題】少ない負担で、自らの行動が反映された高品質な絵日記を作成する。【解決手段】装置は、（ａ）現在位置の位置情報を時刻情報と関連づけて記録する位置情報記録部２０１，２３１，１１１と、（ｂ）写真を撮影する撮影部２４２と、（ｃ）事象記録部２３２，１１３を備える。事象記録部は、ユーザの座標点列に基づき移動手段を特定し、時刻情報と関連づけて移動手段情報を記録し、現在位置が所定の領域内に入った場合に、位置情報と時刻情報に関連づけて、領域進入情報を記録し、写真画像データが記録された際の位置情報および時刻情報に関連づけて、写真画像データを記録できる。さらに、学年情報を受けとって、それに応じた文章テンプレートを準備し、移動手段情報と領域進入情報と時刻情報と文章テンプレートとに基づき、文章を作成して出力する。また、画像のタッチの入力を受けとって、選択された写真画像データを加工して出力する。【選択図】図１
2014067122.tif 000002
【特許請求の範囲】
【請求項１】
絵日記の作成を支援する装置であって、
（ａ）ユーザに携帯され、現在位置を表す位置情報を、現在時刻を表す時刻情報と関連づけて繰り返し記録できる位置情報記録部と、
（ｂ）写真を撮影して写真画像データを生成できる撮影部と、
（ｃ）事象記録部であって、
（ｃ１）複数組の前記位置情報と前記時刻情報とにより特定される座標点列に基づいて、前記ユーザの移動手段を特定し、移動中の前記位置情報と関連づけられた前記時刻情報と関連づけて、前記移動手段を表す移動手段情報を記録でき、
（ｃ２）複数組の前記位置情報と前記時刻情報とにより特定される座標点列に基づいて、現在位置があらかじめ定められた領域内に入った場合に、前記現在位置の前記位置情報と、前記位置情報に関連づけられた前記時刻情報と、に関連づけて、前記領域への進入を表す領域進入情報を記録することができ、
（ｃ２）前記写真画像データが記録された際の位置を表す位置情報および時刻を表す時刻情報に関連づけて、前記写真画像データを記録できる事象記録部と、
（ｄ）学年を特定するための学年情報の入力を受けとって、前記学年情報に応じた文章テンプレートを準備し、前記移動手段情報と、前記領域進入情報と、前記各情報に関連づけられた時刻情報と、前記文章テンプレートと、に基づいて、文章を作成して出力できる文章作成部と、
（ｅ）記録されている前記写真画像データの中からの写真画像データの選択と、画像のタッチを特定するタッチ情報の入力とを受けとって、前記選択された写真画像データを前記タッチ情報に応じて加工して出力する画像作成部と、を備える、装置。
【請求項２】
請求項１記載の装置であって、さらに、
（ｆ）前記位置情報記録部が記録する前記位置情報および前記時刻情報に基づいて、前記記録された位置情報が表す位置および前記記録された時刻情報が表す時刻における天気があらかじめ定められた事象である場合には、前記位置情報と前記時刻情報とに関連づけて、前記天気情報を記録できる天気情報記録部を備え、
前記文章作成部は、さらに、前記記録されている前記天気情報に基づいて前記文章を作成して出力できる、装置。
【請求項３】
請求項１または２記載の装置であって、さらに、
（ｇ）複数組の前記位置情報と前記時刻情報とによって特定される座標点列に基づいて、前記位置情報が表す位置および前記時刻情報が表す時刻において発生した渋滞の渋滞情報を準備し、前記渋滞が発生した位置および時刻の前記位置情報および前記時刻情報と関連づけて前記渋滞情報を記録できる渋滞情報記録部を備え、
前記文章作成部は、さらに、前記記録されている前記渋滞情報に基づいて前記文章を作成して出力できる、装置。
【請求項４】
請求項１ないし３のいずれかに記載の装置であって、さらに、
（ｈ）複数組の前記位置情報と前記時刻情報とによって特定される座標点列に基づいて、前記位置情報が表す位置および前記時刻情報が表す時刻において発生した列車の遅延の遅延情報を準備し、前記遅延が発生した位置および時刻の前記位置情報および前記時刻情報と関連づけて記録できる遅延情報記録部を備え、
前記文章作成部は、さらに、前記記録されている前記遅延情報に基づいて前記文章を作成して出力できる、装置。
【請求項５】
請求項１ないし４のいずれかに記載の装置であって、
前記事象記録部は、複数組の前記位置情報と前記時刻情報とにより特定される座標点列に基づいて、現在位置が前記あらかじめ定められた領域から離脱した場合に、前記現在位置の前記位置情報と、前記位置情報に関連づけられた前記時刻情報と、に関連づけて、前記領域からの離脱を表す領域離脱情報を記録することができ、
前記文章作成部は、さらに、前記記録されている前記領域離脱情報に基づいて前記文章を作成して出力できる、装置。
【請求項６】
請求項１ないし５のいずれかに記載の装置であって、
前記画像作成部は、前記入力された学年に応じて、複数種類の前記タッチの候補を前記ユーザに対して提示し、前記複数種類のタッチの候補の中からのタッチの選択を、前記タッチ情報の入力として受け取る、装置。
【請求項７】
絵日記の作成を支援する方法であって、
（ａ）ユーザに携帯される位置情報記録部を使用して、現在位置を表す位置情報を、現在時刻を表す時刻情報と関連づけて繰り返し記録する工程と、
（ｂ）写真を撮影して写真画像データを生成する工程と、
（ｃ）事象を記録する工程であって、
（ｃ１）複数組の前記位置情報と前記時刻情報とにより特定される座標点列に基づいて、前記ユーザの移動手段を特定し、移動中の前記位置情報と関連づけられた前記時刻情報と関連づけて、前記移動手段を表す移動手段情報を記録する工程と、
（ｃ２）複数組の前記位置情報と前記時刻情報とにより特定される座標点列に基づいて、現在位置があらかじめ定められた領域内に入った場合に、前記現在位置の前記位置情報と、前記位置情報に関連づけられた前記時刻情報と、に関連づけて、前記領域への進入を表す領域進入情報を記録する工程と、
（ｃ３）前記写真画像データが記録された際の位置を表す位置情報および時刻を表す時刻情報に関連づけて、前記写真画像データを記録する工程と、
を含む工程と、
（ｄ）学年を特定するための学年情報の入力を受けとって、前記学年情報に応じた文章テンプレートを準備し、前記移動手段情報と、前記領域進入情報と、前記各情報に関連づけられた時刻情報と、前記文章テンプレートと、に基づいて、文章を作成して出力する工程と、
（ｅ）記録されている前記写真画像データの中からの写真画像データの選択と、画像のタッチを特定するタッチ情報の入力とを受けとって、前記選択された写真画像データを前記タッチ情報に応じて加工して出力する工程と、を備える、方法。
【請求項８】
コンピュータに絵日記の作成を支援させるためのコンピュータプログラムであって、
（ａ）ユーザに携帯される位置情報生成部を使用して、現在位置を表す位置情報を、現在時刻を表す時刻情報と関連づけて繰り返し記録する機能と、
（ｂ）写真を撮影して写真画像データを生成する機能と、
（ｃ）事象を記録する機能であって、
（ｃ１）複数組の前記位置情報と前記時刻情報とにより特定される座標点列に基づいて、前記ユーザの移動手段を特定し、移動中の前記位置情報と関連づけられた前記時刻情報と関連づけて、前記移動手段を表す移動手段情報を記録する機能、
（ｃ２）複数組の前記位置情報と前記時刻情報とにより特定される座標点列に基づいて、現在位置があらかじめ定められた領域内に入った場合に、前記現在位置の前記位置情報と、前記位置情報に関連づけられた前記時刻情報と、に関連づけて、前記領域への進入を表す領域進入情報を記録する機能と、
（ｃ３）前記写真画像データが記録された際の位置を表す位置情報および時刻を表す時刻情報に関連づけて、前記写真画像データを記録する機能と、
を含む事象を記録する機能と、
（ｄ）学年を特定するための学年情報の入力を受けとって、前記学年情報に応じた文章テンプレートを準備し、前記移動手段情報と、前記領域進入情報と、前記各情報に関連づけられた時刻情報と、前記文章テンプレートと、に基づいて、文章を作成して出力する機能と、
（ｅ）記録されている前記写真画像データの中からの写真画像データの選択と、画像のタッチを特定するタッチ情報の入力とを受けとって、前記選択された写真画像データを前記タッチ情報に応じて加工して出力する機能と、を前記コンピュータに実現させる、コンピュータプログラム。
【発明の詳細な説明】
【技術分野】
【０００１】
本発明は、絵日記の作成を支援する技術に関するものである。
【背景技術】
【０００２】
従来、夏休み中や冬休み中の子供に対する宿題として、絵日記がある。絵日記の作成は作成者にとって大きな負担である。一方、絵日記に記録すべき事柄が起こった日の直後に絵日記を作成することなく、絵日記の作成を後回しにすると、絵日記に記録すべき事柄についての記憶が曖昧になり、ますます絵日記作成の負担が大きくなる。また、絵日記は、個人の行動に基づいて、その本人が文章および絵を作成するものであるため、他者の支援を得にくい。そのような絵日記の作成を支援する技術として、特許文献１，２のようなものがある。
【先行技術文献】
【特許文献】
【０００３】
【特許文献１】特開２００３−１７３３０９号公報
【特許文献２】特開２００２−２１５６１１号公報
【０００４】
特許文献１の技術においては、送信日時、画像データ、メッセージ・データなどを含む電子メール・データをカメラ付き携帯電話から電子絵日記作成装置に送信される。電子絵日記作成装置において、電子メール・データから画像データ、メッセージ・データが抽出され、電子メール・データの送信者に対応して電子絵日記データベースに格納される。電子絵日記の閲覧要求があると、対応する画像データ、メッセージ・データ等が見つけられ、電子絵日記を表示するためのウェブ・ページ・データが生成される。
【０００５】
また、特許文献２の技術においては、日記作成支援装置は、ユーザが携帯する携帯端末から得た位置情報を格納しておき、ユーザから日記作成の指示を受けた時点で、当日分の位置情報を解析しユーザの行動を解析する。そして、その解析の結果、ユーザの行動が予め登録された所定の行動パターンに一致する場合は、このパターンに対応づけて登録されていた定型文をワードプロセッサに送り、当該定型文を表示させた形でワードプロセッサを起動させる。なお、予め登録された所定の行動パターンとは、（１）「ユーザが終日一ヵ所にとどまっていた」、（２）「１日のある時点で５時間未満の時間をかけて移動し、移動後の地点にとどまっていた」、（３）「１日のある時点から５時間以上の時間をかけて移動し、移動後の地点にとどまった」、（４）「日帰りで特定の場所へ行った」の４パターンである。
【発明の概要】
【発明が解決しようとする課題】
【０００６】
特許文献１の技術においては、ユーザが自らメッセージを作成して、電子メールで電子絵日記作成装置に送信する必要がある。このため、依然としてユーザの負担は大きい。また、特許文献２の技術においては、１日の行動を１文で示すあらかじめ定められた４パターンの行動が文章として記録または提示されるにすぎず、人間の生活を活写する技術としては貧弱である。
【課題を解決するための手段】
【０００７】
本発明は、上述の課題の少なくとも一部を解決するためになされたものであり、以下の形態として実現することが可能である。
【０００８】
（１）本発明の一形態によれば、絵日記の作成を支援する装置が提供される。
この装置は、
（ａ）ユーザに携帯され、現在位置を表す位置情報を、現在時刻を表す時刻情報と関連づけて繰り返し記録できる位置情報記録部と、
（ｂ）写真を撮影して写真画像データを生成できる撮影部と、
（ｃ）事象記録部と、を備える。
事象記録部は、
（ｃ１）複数組の前記位置情報と前記時刻情報とにより特定される座標点列に基づいて、前記ユーザの移動手段を特定し、移動中の前記位置情報と関連づけられた前記時刻情報と関連づけて、前記移動手段を表す移動手段情報を記録でき、
（ｃ２）前記複数組の前記位置情報と前記時刻情報とにより特定される前記座標点列に基づいて、現在位置があらかじめ定められた領域内に入った場合に、前記現在位置の前記位置情報と、前記位置情報に関連づけられた前記時刻情報と、に関連づけて、前記領域への進入を表す領域進入情報を記録することができ、
（ｃ２）前記写真画像データが記録された際の位置を表す位置情報および時刻を表す時刻情報に関連づけて、前記写真画像データを記録できる。
前記装置は、さらに、
（ｄ）学年を特定するための学年情報の入力を受けとって、前記学年情報に応じた文章テンプレートを準備し、前記移動手段情報と、前記領域進入情報と、前記各情報に関連づけられた時刻情報と、前記文章テンプレートと、に基づいて、文章を作成して出力できる文章作成部と、
（ｅ）記録されている前記写真画像データの中からの写真画像データの選択と、画像のタッチを特定するタッチ情報の入力とを受けとって、前記選択された写真画像データを前記タッチ情報に応じて加工して出力する画像作成部と、を備える。
このような態様とすれば、ユーザは、自らが行った場所および移動手段が反映され、指定した学年に応じて作成され出力された文章と、自ら撮影し選択した写真画像が自ら選択したタッチで加工された画像に基づいて、絵日記を作成することができる。このため、少ない負担で、自らの行動が反映された高品質な絵日記を作成することができる。
【０００９】
（２）上記装置であって、さらに、
（ｆ）前記位置情報記録部が記録する前記位置情報および前記時刻情報に基づいて、前記記録された位置情報が表す位置および前記記録された時刻情報が表す時刻における天気があらかじめ定められた事象である場合には、前記位置情報と前記時刻情報とに関連づけて、前記天気情報を記録できる天気情報記録部を備える。
前記文章作成部は、さらに、前記記録されている前記天気情報に基づいて前記文章を作成して出力できる。
このような態様とすれば、さらに、ユーザは、自らが行った場所における天気を反映して、絵日記を作成することができる。
【００１０】
（３）上記装置であって、さらに、
（ｇ）前記複数組の前記位置情報と前記時刻情報とによって特定される前記座標点列に基づいて、前記位置情報が表す位置および前記時刻情報が表す時刻において発生した渋滞の渋滞情報を準備し、前記渋滞が発生した位置および時刻の前記位置情報および前記時刻情報と関連づけて前記渋滞情報を記録できる渋滞情報記録部を備える。
前記文章作成部は、さらに、前記記録されている前記渋滞情報に基づいて前記文章を作成して出力できる。
このような態様とすれば、さらに、ユーザは、自らが行った場所における渋滞の発生を反映して、絵日記を作成することができる。
【００１１】
（４）上記装置であって、さらに、
（ｈ）前記複数組の前記位置情報と前記時刻情報とによって特定される前記座標点列に基づいて、前記位置情報が表す位置および前記時刻情報が表す時刻において発生した列車の遅延の遅延情報を準備し、前記遅延が発生した位置および時刻の前記位置情報および前記時刻情報と関連づけて記録できる遅延情報記録部を備える。
前記文章作成部は、さらに、前記記録されている前記遅延情報に基づいて前記文章を作成して出力できる。
このような態様とすれば、さらに、ユーザは、自らが行った場所における列車の遅延を反映して、絵日記を作成することができる。
【００１２】
（５）上記装置であって、
前記事象記録部は、前記複数組の前記位置情報と前記時刻情報とにより特定される座標点列に基づいて、現在位置が前記あらかじめ定められた領域から離脱した場合に、前記現在位置の前記位置情報と、前記位置情報に関連づけられた前記時刻情報と、に関連づけて、前記領域からの離脱を表す領域離脱情報を記録することができ、
前記文章作成部は、さらに、前記記録されている前記領域離脱情報に基づいて前記文章を作成して出力できる。
このような態様とすれば、さらに、ユーザは、自らが行った場所を出た時間を反映して、絵日記を作成することができる。
【００１３】
（６）上記装置であって、
前記画像作成部は、前記入力された学年に応じて、複数種類の前記タッチの候補を前記ユーザに対して提示し、前記複数種類のタッチの候補の中からのタッチの選択を、前記タッチ情報の入力として受け取る。
このような態様とすれば、ユーザは、学年に応じて提示された候補の中から学年にふさわしいタッチを容易に選択することができ、学年にふさわしいタッチの画像の出力を受けることができる。
【００１４】
本発明は、装置以外の種々の形態で実現することも可能である。例えば、絵日記の作成方法や絵日記作成支援装置の制御方法、その制御方法を実現するコンピュータプログラム、そのコンピュータプログラムを記録した一時的でない記録媒体等の形態で実現することができる。
【図面の簡単な説明】
【００１５】
【図１】本発明の第１実施例である絵日記作成支援システムのハードウェア構成を示す図。
【図２】文章テンプレートの一例を示す図。
【図３】文章テンプレートの一例を示す図。
【図４】携帯電話２００の移動の軌跡である座標点列と、事象データとを含む行動記録データを生成する手順を示すフローチャート。
【図５】行動記録データＤａを示す図。
【図６】絵日記を作成する際の参考となる文章および画像を生成する処理を示すフローチャート。
【図７】ステップＳ２１０で表示されるユーザインターフェイス画面の例を示す図。
【図８】参考文章を表す第５の部分Ｐｄを含むユーザインターフェイス画面ＵＩ２を示す図。
【発明を実施するための形態】
【００１６】
Ａ．第１実施例：
Ａ１．全体構成：
図１は、本発明の第１実施例である絵日記作成支援システムのハードウェア構成を示す図である。第１実施例の絵日記作成支援システムは、絵日記サーバ１００と、天気情報サーバ１５０と、交通情報サーバ１８０と、携帯電話２００と、パーソナルコンピュータ３００と、を含む。
【００１７】
携帯電話２００は、ＧＰＳユニット２０１と、表示パネル２０２と、音声出力部２０３と、振動機構２０４と、通信部２０５と、コマンド入力部２０６と、カメラ部２４２と、主制御部２１０と、通話制御部２２０とを有している。
【００１８】
ＧＰＳユニット２０１は、ＧＰＳ（Ｇｌｏｂａｌ Ｐｏｓｉｔｉｏｎｉｎｇ Ｓｙｓｔｅｍ／全地球測位システム）の衛星からの電波を受信するためのアンテナを含むユニットである。ＧＰＳのアンテナが受信する電波に基づいて、ＧＰＳユニット２０１は、携帯電話２００の現在位置を表す位置情報を生成することができる。また、ＧＰＳユニット２０１は、衛星からの電波に基づいて、現在時刻を表す時刻情報を生成することができる。
【００１９】
表示パネル２０２は、画像を表示することができる液晶ディスプレイである。表示パネル２０２は、表示している画像に応じてパネルの一部に接触されることによりユーザからの指示を受けとることができるタッチパネル２０６ａを備えている。具体的には、表示パネル２０２は、液晶ディスプレイの上に透明のタッチパネル２０６ａが重ねられて構成される。ユーザは、たとえば、表示パネル２０２の表面を指で押したり、表示パネル２０２の表面に接触した状態で指を動かすことにより、画像の表示を制御するための操作を行うことができる。なお、本明細書において、「画像」とは、狭義の画像のほか、文字、記号等を含む概念である。
【００２０】
音声出力部２０３は、スピーカを含む装置であって、経路案内などのユーザへのメッセージやメロディなどを音声で出力できる装置である。振動機構２０４は、所定のパターンの振動でユーザの注意を促すことができる装置である。
【００２１】
コマンド入力部２０６は、上記タッチパネル２０６ａと、ハードウェアとしてのカーソルキー２０６ｂを含む。ユーザは、タッチパネル２０６ａだけでなく、カーソルキー２０６ｂの周辺部を押してカーソルを移動させ、カーソルキー２０６ｂの中央部を押してＯＮの操作を行うことによっても、携帯電話２００に情報を入力することができる。
【００２２】
通信部２０５は、通信ネットワークとしてのインターネットＩＮＴを介して、絵日記サーバ１００と通信を行い、情報を送受信することができる。なお、通信ネットワークとしては、インターネットのほかにＬＡＮやＷＡＮ、公衆回線等がある。通話制御部２２０は、通話のための着信呼出、音声／電気信号の変換などを行う回路である。
【００２３】
カメラ部２４２は、携帯電話２００の外部を撮影して写真画像データを生成することができる。なお、カメラ部２４２は、携帯電話２００において表示パネル２０２とは逆の側にあるため、図１において、破線で示されている。
【００２４】
主制御部２１０は、携帯電話２００の各部を制御するための制御ユニットである。主制御部２１０は、それらの制御に使用されるＣＰＵ２１１、ＲＡＭ２１２、ＲＯＭ２１３を備えている。主制御部２１０は、ＣＰＵでアプリケーションソフトウェアを実行することによって携帯電話２００の各部を制御する。主制御部２１０は、たとえば、ＧＰＳユニット２０１が生成した位置情報を含む所定の形式のデータを、通信部２０５を介して絵日記サーバ１００に送信することができる。また、主制御部２１０は、カメラ部２４２が生成した写真画像データを、通信部２０５を介して絵日記サーバ１００に送信することができる。そして、主制御部２１０は、通信部２０５を介して絵日記サーバ１００から受け取ったデータに基づいて、表示パネル２０２、音声出力部２０３、振動機構２０４を制御する。
【００２５】
絵日記サーバ１００は、通信部１０２と、制御部１０４と、記憶部１０６とを有している。通信部１０２は、インターネットＩＮＴを介して天気情報サーバ１５０、交通情報サーバ１８０および携帯電話２００と通信を行うことができる。
【００２６】
記憶部１０６は、絵日記の文章を作成するためのテンプレートである文章テンプレートを格納している。また、記憶部１０６は、地図上の特定の領域の場所についての情報を保持している。記憶部１０６は、さらに、携帯電話２００、天気情報サーバ１５０、および交通情報サーバ１８０から受け取ったデータ、およびそれらに基づいて生成されたデータを格納する。
【００２７】
特定の領域は、たとえば、ユーザの自宅の領域、ユーザの親戚の家の領域、店舗の領域、遊園地や動物園の領域、遊園地や動物園の中の特定の施設の領域などである。これらの領域は、あらかじめ絵日記サーバ１００に登録され、領域を表す名前の情報と、場所（範囲）の情報とを、記憶部１０６に格納されている。自宅の領域、親戚の家の領域などのユーザ個人と関連する領域の情報は、携帯電話のＩＤ情報と関連づけて格納されている。店舗の領域、遊園地や動物園の領域、遊園地や動物園の中の特定の施設の領域など、ユーザ個人と関連しない領域の情報は、携帯電話のＩＤ情報と関連づけずに格納されている。なお、領域は、多階層的に設定されうる。すなわち、領域Ａの中に含まれる領域ａ１、領域ａ２等が設定され得る。
【００２８】
図２は、文章テンプレートの一例を示す図である。文章テンプレートは、学校における学年に応じて、小学１年生用のものから小学６年生用のものまで、６種類準備される。図２において示されているのは、小学６年生用のテンプレートＴｄ６である。文章テンプレートは、複数の記述を含んでいる。図２の例では、テンプレートの一部として、６種類の記述が示されている。一つの記述は、１以上の文章を含む。これらの文章には、一部が欠けている文章が含まれる。その欠けている部分を以下、「空欄部分」と呼ぶ。文章テンプレートを利用して文章が作成される際には、文章テンプレートの空欄部分に言葉が補足されて、文章が完成される。空欄部分は、それぞれ属性を有している。空欄部分の属性は、たとえば、「時刻」、「移動手段」、「領域」を含む。図２では、空欄部分を（）で示し、（）内にその空欄部分の属性を示す。
【００２９】
図３も、文章テンプレートの一例を示す図である。図３において示されているのは、小学１年生用のテンプレートＴｄ１である。図３の１〜６の記述は、図２の１〜６の記述と対応する。各学年用の文章テンプレートは、互いに対応する記述を含む。そして、各学年用の文章テンプレートは、絵日記サーバ１００が処理可能な漢字のうち、対応する学年までに学習する漢字のみが使用されて構成されている。ただし、各学年用の文章テンプレートにおいては、対応する学年において学習する漢字がすべて使用されているわけではない。
【００３０】
また、各学年用の文章テンプレートにおいては、対応する記述であっても、学年に応じて表現が異なっている。たとえば、記述３は、図２の小学６年生用の文章テンプレートにおいては、４番目の記述は、「（時刻）ごろ、渋滞がありました。」であるが、図３の小学１年生用の文章テンプレートにおいては、対応する４番目の記述は、「みちがこんでいました。」である。すなわち、小学１年生用の文章テンプレートにおいては、「渋滞」という言葉は使用されず、また、時刻の情報も盛り込まれない。
【００３１】
天気情報サーバ１５０は、通信部１５２と、制御部１５４と、天気データベース１５６とを有している。通信部１５２は、インターネットＩＮＴを介して絵日記サーバ１００と通信を行うことができる。
【００３２】
天気データベース１５６は、日本全体を東西５００ｍおよび南北５００ｍの正方形の領域に区切って設けられる各領域について、５分単位の現在および過去の天気のデータを格納している。制御部１５４は、絵日記サーバ１００から受け取った場所と時刻をあらわすデータに基づいて絵日記サーバ１００が要求する天気情報を特定する。そして、制御部１５４は、その場所と時刻において特定の天候が生じていたか否かを表すデータを、通信部１５２を介して絵日記サーバ１００に送信する。ここでは、特定の天候は、「大雨（１時間あたり３０ｍｍ以上の降雨）」、「雷」である。
【００３３】
交通情報サーバ１８０は、通信部１８２と、制御部１８４と、交通情報データベース１８６とを有している。通信部１８２は、インターネットＩＮＴを介して絵日記サーバ１００と通信を行うことができる。
【００３４】
交通情報データベース１８６は、５分単位で、日本全体の道路のうち渋滞が発生している道路、または発生していた道路の区間を表すデータを格納している。制御部１５４は、絵日記サーバ１００から受け取った場所と時刻をあらわすデータに基づいて、当該場所および時刻における渋滞の発生の有無を判定し、渋滞の有無を表す渋滞情報を、通信部１５２を介して絵日記サーバ１００に送信する。
【００３５】
パーソナルコンピュータ３００は、表示パネル３０２と、通信部３０５と、コマンド入力部３０６と、記憶部３０７と、主制御部３１０と、を有している。
【００３６】
表示パネル３０２は、画像を表示することができる液晶ディスプレイである。コマンド入力部２０６は、ハードウェアとしてのキーボード３０６ａおよびマウス３０６ｂを含む。ユーザは、キーボード３０６ａおよびマウス３０６ｂを操作して、パーソナルコンピュータ３００に情報を入力することができる。通信部３０５は、通信ネットワークとしてのインターネットＩＮＴを介して、絵日記サーバ１００と通信を行い、情報を送受信することができる。
【００３７】
主制御部３１０は、パーソナルコンピュータ３００の各部を制御するための制御ユニットである。主制御部３１０は、それらの制御に使用されるＣＰＵ３１１、ＲＡＭ３１２、ＲＯＭ３１３を備えている。主制御部３１０は、ＣＰＵでアプリケーションソフトウェアを実行することによってパーソナルコンピュータ３００の各部を制御する。主制御部３１０は、通信部３０５を介して絵日記サーバ１００から受け取ったデータに基づいて、表示パネル３０２を制御する。
【００３８】
Ａ２．行動記録データの生成：
図４は、携帯電話２００の移動の軌跡である座標点列と、事象データとを含む行動記録データを生成する手順を示すフローチャートである。まず、ユーザは、コマンド入力部２０６を介して、絵日記に記載する可能性がある行動を開始する前に、行動の記録を開始すべき旨の指示を携帯電話２００にする（ステップＳ１０）。
【００３９】
ステップＳ２０では、携帯電話２００の主制御部２１０は、ＧＰＳユニット２０１を介して衛星からの電波を受信し、現在位置を表す位置情報と、現在時刻を表す時刻情報と、を生成する。そして、主制御部２１０は、その位置情報および時刻情報を、携帯電話２００を識別することができるＩＤ情報とともに、通信部２０５を介して絵日記サーバ１００に送信する。絵日記サーバ１００の制御部１０４は、受信した位置情報と時刻情報を、受信したＩＤ情報を関連づけて、記憶部１０６に格納する。以上のようにして、絵日記作成支援システムに位置情報と時刻情報が記録される（ステップＳ２０）。この位置情報と時刻情報とにより、携帯電話２００の移動の軌跡である座標点列を特定することができる。
【００４０】
ステップＳ２０の上記機能を果たす携帯電話２００の主制御部２１０の機能部を、位置情報記録部２３１として、図１に示す。また、ステップＳ２０の上記機能を果たす絵日記サーバ１００の制御部１０４の機能部を、位置情報記録部１１１として、図１に示す。
【００４１】
ステップＳ２５では、絵日記サーバ１００の制御部１０４は、ステップＳ２０で記録した位置情報および時刻情報のデータを天気情報サーバ１５０に送信して、その位置情報が表す位置およびその時刻情報が表す時刻において、特定の天候が発生しているか否かを問い合わせる。ここでは、特定の天候は、「大雨（１時間あたり３０ｍｍ以上の降雨）」および「雷」である。特定の天候が発生している旨の回答を天気情報サーバ１５０から得た場合には（ステップＳ２５：Ｙｅｓ）、絵日記サーバ１００の制御部１０４は、発生した特定の天候を表す天気情報を、ステップＳ２０で記録した位置情報および時刻情報と関連づけて、記憶部１０６に記録する（ステップＳ３０）。特定の天候が発生していない旨の回答を天気情報サーバ１５０から得た場合には（ステップＳ２５：Ｎｏ）、ステップＳ３０の処理はスキップされる。
【００４２】
ステップＳ２５，Ｓ３０の上記機能を果たす絵日記サーバ１００の制御部１０４の機能部を、天気情報記録部１１２として、図１に示す。
【００４３】
ステップＳ３５では、携帯電話２００の主制御部２１０は、カメラ部２４２を使用して写真撮影が行われたか否かを判定する。写真撮影が行われた場合には（ステップＳ３５：Ｙｅｓ）、主制御部２１０は、現在位置を表す位置情報とおよび現在時刻を表す時刻情報とを、ＧＰＳユニット２０１を使用して生成する。そして、主制御部２１０は、カメラ部２４２が生成した写真画像データと、生成した位置情報および時刻情報とを、ＩＤ情報とともに、通信部２０５を介して絵日記サーバ１００に送信する。絵日記サーバ１００の制御部１０４は、受信した写真画像データを、受信したＩＤ情報、位置情報、および時刻情報に関連づけて、記憶部１０６に格納する。以上のようにして、絵日記作成支援システムに写真画像データが記録される（ステップＳ４０）。なお、写真撮影が行われていない場合には、ステップＳ４０の処理はスキップされる。
【００４４】
ステップＳ３５，Ｓ４０の上記機能を果たす携帯電話２００の主制御部２１０の機能部を、事象記録部２３２として、図１に示す。また、ステップＳ３５，Ｓ４０の上記機能を果たす絵日記サーバ１００の制御部１０４の機能部を、事象記録部１１３として、図１に示す。
【００４５】
ステップＳ５０では、絵日記サーバ１００の制御部１０４は、それまでにステップＳ２０で記録された複数組の位置情報および時刻情報（ただし、最新のものを含む）が表す座標点列に基づいて、ユーザの移動手段を判定する。より具体的には、最新の３回のサイクル（Ｓ２０〜Ｓ８５）においてステップＳ２０で記録された位置情報および時刻情報に基づいて、平均移動速度、場所、加減速が行われた位置などを計算する。そして、平均移動速度、場所、加減速が行われた位置などに基づいて、ユーザの移動手段を判定する。たとえば、平均移動速度が３０ｋｍ／ｈを超えている場合には、移動手段は自動車または列車であると判定される。また、現在位置が自動車専用道路上を移動している場合には、移動手段は自動車であると判定される。現在位置が線路を移動している場合には、移動手段は自動車であると判定される。最高速度が４０ｋｍ／ｈを超え、交差点がある場所で加減速が行われている場合には、移動手段は自動車であると判定される。最高速度が４０ｋｍ／ｈを超え、駅がある場所で加減速が行われている場合には、移動手段は列車であると判定される。
【００４６】
絵日記サーバ１００の制御部１０４は、移動手段が自動車または列車である場合には、移動手段を表す移動手段情報を、最後にステップＳ２０で記録された位置情報および時刻情報と関連づけて、記憶部１０６に記録する（ステップＳ５０）。なお、それまでにステップＳ２０で記録された位置情報および時刻情報が２組以下である場合には、ステップＳ５０の処理はスキップされる。また、移動手段が徒歩、または不明である場合には、移動手段の記録は行われない。
【００４７】
ステップＳ５０の上記機能を果たす絵日記サーバ１００の制御部１０４の機能部は、事象記録部１１３である。
【００４８】
ステップＳ５０において移動手段が自動車であると判定しなかった場合には（ステップＳ５５：Ｎｏ）、処理は、ステップＳ６５に進む。一方、ステップＳ５０において移動手段が自動車であると判定した場合には（ステップＳ５５：Ｙｅｓ）、絵日記サーバ１００の制御部１０４は、ステップＳ２０で最後に記録した位置情報および時刻情報のデータを交通情報サーバ１８０に送信して、その位置情報が表す位置およびその時刻情報が表す時刻において、渋滞が発生しているか否かを問い合わせる。渋滞が発生している旨の回答を交通情報サーバ１８０から得た場合には（ステップＳ５７：Ｙｅｓ）、絵日記サーバ１００の制御部１０４は、渋滞の発生を表す渋滞情報を、ステップＳ２０で記録した位置情報および時刻情報と関連づけて、記憶部１０６に記録する（ステップＳ６０）。渋滞が発生していない旨の回答を得た場合には（ステップＳ５７：Ｎｏ）、ステップＳ６０の処理はスキップされる。その後、処理は、ステップＳ６５に進む。
【００４９】
ステップＳ５５，Ｓ５７，Ｓ６０の上記機能を果たす絵日記サーバ１００の制御部１０４の機能部を、交通情報記録部１１４として、図１に示す。
【００５０】
ステップＳ６５では、絵日記サーバ１００の制御部１０４は、それまでにステップＳ２０で記録された複数組の位置情報および時刻情報（ただし、最新のものを含む）が表す座標点列に基づいて、ユーザが特定の領域に進入したか否かを判定する。より具体的には、最新の３回のサイクル（Ｓ２０〜Ｓ８５）においてステップＳ２０で記録された位置情報による位置が特定の領域内にあり、かつ、４〜６回前の３回のサイクルにおいてステップＳ２０で記録された位置情報による位置が特定の領域内にない場合には、ユーザが特定の領域に進入したと判定される。なお、特定の領域は、あらかじめ絵日記サーバ１００に登録されている。
【００５１】
ユーザが特定の領域に進入したと判定された場合には（ステップＳ６５：Ｙｅｓ）、絵日記サーバ１００の制御部１０４は、その領域に進入した旨を表す領域進入情報を、最後にステップＳ２０で記録した位置情報および時刻情報と関連づけて、記憶部１０６に記録する（ステップＳ７０）。ユーザが特定の領域に進入していないと判定した場合には（ステップＳ６５：Ｎｏ）、ステップＳ７０の処理はスキップされる。
【００５２】
ステップＳ６５，Ｓ７０の上記機能を果たす絵日記サーバ１００の制御部１０４の機能部は、事象記録部１１３である。
【００５３】
ステップＳ７５では、絵日記サーバ１００の制御部１０４は、それまでにステップＳ２０で記録された複数組の位置情報および時刻情報（ただし、最新のものを含む）が表す座標点列に基づいて、ユーザが特定の領域を離脱したか否かを判定する。より具体的には、最新の３回のサイクル（Ｓ２０〜Ｓ８５）においてステップＳ２０で記録された位置情報による位置が特定の領域外にあり、かつ、４〜６回前の３回のサイクルにおいてステップＳ２０で記録された位置情報による位置が特定の領域内にある場合には、ユーザが特定の領域から離脱したと判定される。
【００５４】
ユーザが特定の領域から離脱したと判定した場合には（ステップＳ７５：Ｙｅｓ）、絵日記サーバ１００の制御部１０４は、その領域から離脱した旨を表す領域離脱情報を、最後にステップＳ２０で記録した位置情報および時刻情報と関連づけて、記憶部１０６に記録する（ステップＳ８０）。ユーザが特定の領域から離脱していないと判定した場合には（ステップＳ７５：Ｎｏ）、ステップＳ８０の処理はスキップされる。
【００５５】
ステップＳ７５，Ｓ８０の上記機能を果たす絵日記サーバ１００の制御部１０４の機能部は、事象記録部１１３である。
【００５６】
ステップＳ８５では、コマンド入力部２０６を介して、行動の記録を終了する旨の指示があったか否かが判定される。行動の記録を終了する旨の指示があった場合には（ステップＳ８５：Ｙｅｓ）、処理は終了する。なお、処理の終了は、携帯電話２００から絵日記サーバ１００に通知される。行動の記録を終了する旨の指示がなかった場合には（ステップＳ８５：Ｎｏ）、所定時間（たとえば、１分）経過後、処理はステップＳ２０に戻る。
【００５７】
図５は、図４の処理によって生成された行動の記録を表す行動記録データＤａを示す図である。行動記録データＤａは、携帯電話２００の各時刻における現在位置を表す位置情報Ｉｐと、その位置情報Ｉｐに対応する時刻情報Ｉｔと、時刻情報Ｉｔの時刻において発生した事象を表す事象情報Ｉｅと、を含む。さらに、事象情報Ｉｅは、ある領域へ進入したことを表す領域進入情報Ｉｉと、ある領域から離脱したことを表す領域離脱情報Ｉｏと、移動手段を表す移動手段情報Ｉｍと、天気を表す天気情報Ｉｃと、渋滞の発生を表す渋滞情報Ｉｊと、を含む。なお、図５においては、位置情報Ｉｐは、緯度および経度の組合せの例（Ｘ１，Ｙ１）〜（Ｘ１３，Ｙ１３）として示されている。
【００５８】
図５の行動記録データＤａにおいて、事象情報Ｉｅのうち領域離脱情報Ｉｏである「自宅／離脱」、「パンダ舎／離脱」、「ＸＸ動物園／離脱」は、図４のステップＳ８０で記録されたものである。天気情報Ｉｃである「雷」の事象情報は、図４のステップＳ３０で記録されたものである。移動手段情報Ｉｍである「車移動」は、図４のステップＳ５０で記録されたものである。領域進入情報Ｉｉである「ＸＸ動物園／進入」、「パンダ舎／進入」、「自宅／進入」は、図４のステップＳ７０で記録されたものである。渋滞情報Ｉｊである「渋滞」は、図４のステップＳ６０で記録されたものである。
【００５９】
図５の行動記録データＤａから、ユーザは、８月１２日の９時２７分に自宅を出て、自動車で移動し、１３時７分にＸＸ動物園に到着し、途中、１０時３２分に雷があり、１３時２１分から１３時２７分まではＸＸ動物園のパンダ舎にいたことが分かる。その後、１６時２６分にはＸＸ動物園を出発し、自動車で移動中、１６時４７分から１７時１６分まで渋滞に巻き込まれ、１８時２５分には自宅に到着したことが分かる。
【００６０】
Ａ３．参考文章および参考画像の生成および出力：
図６は、絵日記を作成する際の参考となる文章および画像を生成する処理を示すフローチャートである。ステップＳ２０５では、ユーザは、パーソナルコンピュータ３００のコマンド入力部３０６（図１参照）を操作して、パーソナルコンピュータ３００の主制御部３１０に図６の処理を開始させる。その際、自己の行動を記録した携帯電話２００のＩＤ情報と、絵日記に記載すべき行動を記録した日付の情報とをパーソナルコンピュータ３００に入力する。パーソナルコンピュータ３００の主制御部３１０は、通信部３０５を介して、携帯電話２００のＩＤ情報と、日付の情報ととともに、絵日記を作成する際の参考となる文章および画像を生成する処理を開始すべき旨の指示を送信する。
【００６１】
処理を開始すべき旨の指示を受け取った絵日記サーバ１００の制御部１０４は、ステップＳ２１０において、携帯電話２００のＩＤ情報と、日付の情報に基づいて、そのＩＤ情報と、その日付に含まれる時刻情報とに対応づけて記憶部１０６に格納されている写真画像データ（図４のステップＳ４０参照）を抽出する。そして、それらのサムネイルの画像データを作成する。制御部１０４は、それらサムネイルを含むユーザインターフェイス画面のデータを、通信部１０２を介してパーソナルコンピュータ３００に送信する。なお、「サムネイル」とは、ある画像データが表す画像と同じ画像であって、もとの画像データの画像に比べてその画像を表現するための画素の数が少ない画像である。
【００６２】
図７は、ステップＳ２１０で表示されるユーザインターフェイス画面の例を示す図である。ステップＳ２１０では、パーソナルコンピュータ３００の主制御部３１０は、絵日記サーバ１００から受信したユーザインターフェイス画面ＵＩ１を、表示パネル３０２に表示する。ユーザインターフェイス画面ＵＩ１は、ユーザに写真の選択を促す第１の部分Ｐｓと、ユーザにタッチの選択を促す第２の部分Ｔｓと、ユーザに学年の入力を促す第３の部分Ａｓと、選択された写真画像データの写真画像を示す第４の部分ＳＰと、を含む。
【００６３】
第１の部分Ｐｓは、絵日記サーバ１００から受け取った複数の写真画像データのサムネイルＳｍを表示して、ユーザにその中からの写真の選択を促す画像部分である。図７の例では、第１の部分Ｐｓ中にサムネイルＳｍ１〜Ｓｍ９が表示されている。第２の部分Ｔｓは、写真画像を加工する際のタッチの選択肢Ｔ１〜Ｔ３を提示して、ユーザにその中からのタッチの選択を促す画像である。ここでは、クレヨン画、色鉛筆画、水彩画の３種類のタッチが示されている。
【００６４】
第３の部分Ａｓは、ユーザの操作に応じて小学１年生から小学６年生までの選択肢を提示して、その中からの学年の選択を促す画像部分である。第４の部分ＳＰは、第１の部分Ｐｓを介して選択された写真画像データの画像、またはその選択された写真画像データを、タッチが第２の部分Ｔｓを介して選択されたタッチとなるように加工して得られる写真画像データの画像を示す部分である。
【００６５】
図６のステップＳ２２０では、ユーザは、パーソナルコンピュータ３００のコマンド入力部３０６を操作して、ユーザインターフェイス画面ＵＩ１の第３の部分Ａｓを介して、パーソナルコンピュータ３００に学年を入力する。パーソナルコンピュータ３００の主制御部３１０は、受け取った学年の情報を、通信部３０５を介して絵日記サーバ１００に送信する。
【００６６】
ステップＳ２３０では、ユーザは、コマンド入力部３０６を操作して、第１の部分Ｐｓ中のサムネイルＳｍ１〜Ｓｍ９の一つをクリックして、パーソナルコンピュータ３００に写真の選択を入力する。パーソナルコンピュータ３００の主制御部３１０は、選択されたサムネイルの情報を絵日記サーバ１００に送信する。絵日記サーバ１００の制御部１０４は、選択されたサムネイルに対応する写真画像データをパーソナルコンピュータ３００に送信する。パーソナルコンピュータ３００の主制御部３１０は、受信した写真画像データの写真をユーザインターフェイス画面ＵＩ１中の第４の部分ＳＰに表示する。
【００６７】
ステップＳ２４０では、ユーザは、コマンド入力部３０６を操作して、第２の部分Ｔｓ中のタッチの選択肢Ｔ１〜Ｔ３の中から一つのタッチをクリックして、パーソナルコンピュータ３００にタッチの選択を入力する。パーソナルコンピュータ３００の主制御部３１０は、選択されたタッチを表すタッチ情報を絵日記サーバ１００に送信する。
【００６８】
ステップＳ２５０では、絵日記サーバ１００の制御部１０４は、ステップＳ２２０で選択されたサムネイルに対応する写真画像データを、ステップＳ２４０で選択されたタッチと、ステップＳ２２０で入力された学年と、に応じて加工する。制御部１０４は、同じタッチであっても、入力された学年が高いほど詳細な画像が再現され得るように、写真画像データを加工する。そして、絵日記サーバ１００の制御部１０４は、加工した写真画像データを、通信部１０２を介してパーソナルコンピュータ３００に送信する。パーソナルコンピュータ３００の主制御部３１０は、ユーザインターフェイス画面ＵＩ１中の第４の部分ＳＰに、受信した写真画像データの画像を表示する。
【００６９】
ステップＳ２５５において、ユーザは、第４の部分ＳＰに表示された画像を、絵日記に記載する絵の参考画像として決定した場合は、コマンド入力部３０６を操作して、ユーザインターフェイス画面ＵＩ１中に表示された確定ボタンＳＰｄ（図７参照）を、クリックする。すると、処理は、ステップＳ２６０に進む。一方、第４の部分ＳＰに表示された画像が満足すべきものでない場合には、ユーザは、再度、サムネイルを選択し（ステップＳ２３０）、またはタッチを選択することができる（ステップＳ２４０）。
【００７０】
ステップＳ２３０〜Ｓ２５５の上記機能を果たすパーソナルコンピュータ３００の主制御部３１０の機能部を、画像作成部３３２として、図１に示す。ステップＳ２３０〜Ｓ２５５の上記機能を果たす絵日記サーバ１００の制御部１０４の機能部を、画像作成部１１６として、図１に示す。
【００７１】
ステップＳ２６０では、絵日記サーバ１００の制御部１０４は、ステップＳ２２０で入力された学年に応じた文章テンプレートを選択する（図２および図３参照）。そして、ステップＳ２７０で、制御部１０４は、ステップＳ２１０で入力された日付の時刻情報を含む行動記録データＤａ（図５参照）と、選択された文章テンプレートとに基づいて、文章を合成する。
【００７２】
ステップＳ２７０の処理においては、絵日記サーバ１００の制御部１０４は、たとえば、行動記録データＤａ中の領域離脱情報の事象に対しては、文章テンプレートの６番目の記述を適用する。そして、行動記録データＤａ中の時刻情報Ｉｔに基づいて、テンプレートの時刻の空欄部を補足し、領域離脱情報の一部として記録されている領域情報に基づいて、テンプレートの領域の空欄部を補足する。なお、時刻情報Ｉｔが表す時刻は、「○時」、「○時半」のいずれか近い方に置き換えられて、文章の作成に使用される。また、時間の表示については、午前、午後の表記を省略した１２時間の表示が採用される。その結果、たとえば、図５の行動記録データＤａのうち、最上段の「自宅／離脱」と、図２の文章テンプレートの６番目の記述と、に基づいて、「９時半ごろ、家を出ました。」という文章が作成される。
【００７３】
また、制御部１０４は、たとえば、行動記録データＤａ中の領域進入情報の事象に対しては、文章テンプレートの５番目の記述を適用する。そして、行動記録データＤａ中の時刻情報に基づいて、テンプレートの時刻の空欄部を補足し、領域進入情報の一部として記録されている領域情報に基づいて、テンプレートの領域の空欄部を補足する。その結果、たとえば、図５の行動記録データＤａのうち、最下段の「自宅／進入」と、図２の文章テンプレートの５番目の記述と、に基づいて、「６時半ごろ、家に着きました。」という文章が作成される。
【００７４】
同様に、行動記録データＤａ中で天気情報Ｉｃの事象である「大雨」に対しては、文章テンプレートの１番目の記述が適用される。行動記録データＤａ中で天気情報Ｉｃの事象である「雷」に対しては、文章テンプレートの２番目の記述が適用される。行動記録データＤａ中で渋滞情報Ｉｊの事象である「渋滞」に対しては、文章テンプレートの４番目の記述が適用される。行動記録データＤａ中で移動手段の事象である「車移動」の事象に対しては、文章テンプレートの３番目の記述が適用される。その際、移動手段の空欄部が、移動手段情報Ｉｍに基づいて補足される。
【００７５】
図８は、参考文章を表す第５の部分Ｐｄを含むユーザインターフェイス画面ＵＩ２を示す図である。図６のステップＳ２８０では、絵日記サーバ１００の制御部１０４は、ステップＳ２７０で作成した文章のデータを含む第５の部分Ｐｄの表示データを、通信部１０２を介して、パーソナルコンピュータ３００に送信する。パーソナルコンピュータ３００の主制御部３１０は、ユーザインターフェイス画面ＵＩ１の第１の部分Ｐｓ（図７参照）に代えて、第５の部分Ｐｄを表示する。なお、図８においては、一部の文章の表示を省略している。第５の部分Ｐｄの表示は、文字が一定の大きさで表示されるように行われる。このため、ユーザインターフェイス画面ＵＩ２中の第５の部分Ｐｄ中に、生成されたすべての文章が表示できない場合には、第５の部分Ｐｄ中には、図８の文章の一部が表示され、コマンド入力部３０６を介した指示に応じてスクロールして他の部分を表示可能なように、文章のデータが表示される。
【００７６】
ステップＳ２６０〜Ｓ２８０の上記機能を果たす絵日記サーバ１００の制御部１０４の機能部を、文章作成部１１５として、図１に示す。ステップＳ２２０，Ｓ２８０の上記機能を果たすパーソナルコンピュータ３００の主制御部３１０の機能部を、文章作成部３３１として、図１に示す。
【００７７】
ユーザは、図８のユーザインターフェイス画面ＵＩ２中の第４の部分ＳＰに表示された画像を参考にして、絵日記の絵を描くことができる。そして、ユーザインターフェイス画面ＵＩ２中の第５の部分Ｐｄに表示された文章を参考にして、絵日記の文章を作成することができる。このため、ユーザは、少ない負担で、自らの行動が反映された高品質な絵日記を作成することができる。
【００７８】
なお、本実施例におけるＧＰＳユニット２０１、携帯電話２００の主制御部２１０の機能部としての位置情報記録部２３１、および絵日記サーバ１００の制御部１０４の機能部としての位置情報記録部１１１が、課題を解決するための手段における「位置情報記録部」に相当する。ＧＰＳユニット２０１が、課題を解決するための手段における「位置情報生成部」に相当する。カメラ部２４２が、課題を解決するための手段における「撮影部」に相当する。携帯電話２００の主制御部２１０の機能部としての事象記録部２３２と、絵日記サーバ１００の制御部１０４の機能部としての事象記録部１１３が、課題を解決するための手段における「事象記録部」に相当する。
【００７９】
絵日記サーバ１００の制御部１０４の機能部としての文章作成部１１５と、パーソナルコンピュータ３００の主制御部３１０の機能部としての文章作成部３３１が、課題を解決するための手段における「文章作成部」に相当する。パーソナルコンピュータ３００の主制御部３１０の機能部としての画像作成部３３２と、絵日記サーバ１００の制御部１０４の機能部としての画像作成部１１６が、課題を解決するための手段における「画像作成部」に相当する。
【００８０】
絵日記サーバ１００の制御部１０４の機能部としての天気情報記録部１１２が、課題を解決するための手段における「天気情報記録部」に相当する。絵日記サーバ１００の制御部１０４の機能部としての交通情報記録部１１４が、課題を解決するための手段における「渋滞情報記録部」に相当する。
【００８１】
Ｂ．変形例：
なお、この発明は上記の実施例や実施形態に限られるものではなく、その要旨を逸脱しない範囲において種々の態様において実施することが可能であり、例えば次のような変形も可能である。
【００８２】
Ｂ１．変形例１：
上記実施例においては、図４のステップＳ３０の処理では、天候が大雨または雷である場合には、天気情報が記録される。しかし、天気情報が記録される天候は、「雨（１時間あたり５ｍｍから３０ｍｍの降雨）」や「風（平均風速１０ｍ／秒以上）」、「あられ」、「雹」、「雪」など他の天候とし、または他の天候を含めることができる。そして、それらに応じて文章テンプレートを用意し、文章を作成することもできる。
【００８３】
Ｂ２．変形例２：
上記実施例では、移動手段として主として自動車の場合について説明した（図５のＩｍ参照）。しかし、判定対象としての移動手段としては、自動車のほか、列車、飛行機、船舶、自転車、徒歩なども設けることができる。たとえば、現在位置が海上を移動している場合には、移動手段は船舶または航空機であると判定される。さらに、平均移動速度が１２０ｋｍ／ｈを超えている場合には、移動手段は航空機であると判定され、１００ｋｍ／ｈ未満である場合には、移動手段は船舶であると判定される。また、測位システムによって特定される現在位置の高さに基づいて船舶か航空機かを判定することもできる。
【００８４】
また、図５のステップＳ５０においては、自動車および列車の場合について、移動手段情報が記録される。しかし、図５のステップＳ５０の処理においては、特定されたすべての移動手段について、移動手段情報を記録する態様とすることもでき、一部の種類の移動手段についてのみ、移動手段情報を記録する態様とすることもできる。
【００８５】
また、たとえば、図１の交通情報サーバ１８０の交通情報データベース１８６は、所定時間（たとえば５分）単位で、日本全体の線路、航路や空路のうち遅延が発生している区間を表すデータを格納している態様とすることができる。そして、制御部１５４は、絵日記サーバ１００から受け取った場所と時刻をあらわすデータに基づいて、当該場所および時刻における遅延の発生の有無を判定し、遅延の有無を表す遅延情報を、通信部１５２を介して絵日記サーバ１００に送信することができる。そして、ステップＳ５０において判定された移動手段に応じて、ステップＳ５５〜Ｓ６０と同様にして、遅延の情報を記録することができる。さらに、それらの遅延情報に応じて用意された文章テンプレート（図２および図３参照）を利用して、図６のステップＳ２６０〜Ｓ２８０の処理で、文章を作成し、表示することもできる。
【００８６】
Ｂ３．変形例３：
上記実施例においては、ステップＳ５０では、移動手段が自動車または列車である場合には、毎回、特定された移動手段が記録される。しかし、今回、特定された移動手段が、直前のサイクル（Ｓ２０〜Ｓ８５）でステップＳ５０において記録された移動手段と同じである場合には、移動手段の記録を省略することもできる。同様に、直前のサイクル（Ｓ２０〜Ｓ８５）でステップＳ６０において渋滞情報が記録されている場合には、ステップＳ６０における渋滞情報の記録を省略することもできる。
【００８７】
Ｂ４．変形例４：
絵日記サーバ１００の記憶部１０６に登録されている特定の領域の範囲は、たとえば、日本の地理上の全領域が所定の大きさの長方形（正方形）の区画に区切り、その区画の組み合わせで定めることができる。また、特定の領域は、地理上において一部の領域を任意の形状で特定したものとすることもできる。
【００８８】
Ｂ５．変形例５：
上記実施例においては、最新の３回のサイクル（図４のＳ２０〜Ｓ８５）においてステップＳ２０で記録された位置情報による位置が特定の領域内にあり、かつ、４〜６回前の３回のサイクルにおいてステップＳ２０で記録された位置情報による位置が特定の領域内にない場合には、ユーザが特定の領域に進入したと判定される（ステップＳ６５）。しかし、判定の基礎とするサンプルの数は３に限られず、４以上とすることもでき、２以下とすることもできる。また、特定領域内にあることの判定と、特定領域外にあることの判定とは、判定材料とするサンプル数を異ならせて行うことができる。すなわち、ユーザが特定の領域に進入したか否かの判定は、検出の取りこぼしのリスクと、重複検出についての処理の煩雑さとを勘案して、様々な方法で行うことができる。
【００８９】
また、上記実施例においては、最新の３回のサイクル（図４のＳ２０〜Ｓ８５）においてステップＳ２０で記録された位置情報による位置が特定の領域外にあり、かつ、４〜６回前の３回のサイクルにおいてステップＳ２０で記録された位置情報による位置が特定の領域内にある場合には、ユーザが特定の領域から離脱したと判定される（ステップＳ７５）。しかし、判定の基礎とするサンプルの数は３に限られず、４以上とすることもでき、２以下とすることもできる。また、特定領域内にあることの判定と、特定領域外にあることの判定とは、判定材料とするサンプル数を異ならせて行うことができる。すなわち、ユーザが特定の領域に進入したか否かの判定は、検出の取りこぼしのリスクと、重複検出についての処理の煩雑さとを勘案して、様々な方法で行うことができる。
【００９０】
Ｂ６．変形例６：
上記実施例および変形例では、天気情報（図４のステップＳ３０）、写真画像データ（同、ステップ「Ｓ４０）、移動手段情報（同、ステップＳ５０）、渋滞情報（同、ステップＳ６０）、遅延情報、領域進入情報（同、ステップＳ７０）、領域離脱情報（同、ステップＳ８０）が記録される。しかし、これらの情報は、一部に対のみ記録し、他の一部を記録しない態様とすることもできる。
【００９１】
Ｂ７．変形例７：
上記実施例では、写真の選択と加工を終えた後（図６のステップＳ２３０〜Ｓ２５５）、文章を作成している（ステップＳ２６０〜Ｓ２８０）。しかし、写真の選択および加工と、文章の作成とは、変更して行うこともでき、文章の作成を先に行うこともできる。
【００９２】
また、上記実施例では、ステップＳ２２０における学年情報の入力の後、ステップＳ２３０における写真の選択が行われ、その後に、ステップＳ２４０におけるタッチ情報の入力が行われている。しかし、これらの処理はどのような順番でも行うこともできる。すなわち、画像データの加工（ステップＳ２５０）に先立って、学年情報の入力と、写真の選択と、タッチ情報の入力とが行われていればよい。
【００９３】
Ｂ８．変形例８：
上記実施例においては、絵日記作成支援システムに対して学年が入力される（図６のステップＳ２２０参照）。しかし、学年に代えて実年齢や生年月日を入力することもできる。すなわち、学校における学習の進行の程度を推定することができる情報であれば、どのような情報がシステムに入力されてもよい。本明細書においては、学校における学習の進行の程度を推定することができる情報を、「学年情報」と表記する。
【００９４】
また、上記実施例では、学年は、小学１年生から小学６年生までの中から選択される。しかし、学年は、中学校や高校、専門学校、大学など他の学年とし、または他の学年を含めることもできる。
【００９５】
Ｂ９．変形例９：
上記実施例では、１分ごとに図４の処理が繰り返される（ステップＳ８５参照）。しかし、図４の処理が繰り返される時間区間は、５分など、他の時間区間とすることもできる。
【００９６】
Ｂ１０．変形例１０：
上記実施例では、タッチは、「クレヨン画」、「色鉛筆画」、「水彩画」である。しかし、タッチは、「（単色の）鉛筆画」、「ペン画」、「マンガ調」、「劇画調」、「油彩画」など他のタッチとすることもできる。
【００９７】
また、ユーザに対して提示されるタッチの選択肢は、学年に応じて変えることもできる。たとえば、小学１、２年生においては、タッチの選択肢として「クレヨン画」と「色鉛筆画」のみを提示し、小学３年生以上においては、タッチの選択肢として「クレヨン画」、「色鉛筆画」、「水彩画」を提示することもできる。そして、小学４年生以上については、さらに、「（単色の）鉛筆画」を加え、中学生以上については、さらに「ペン画」、「油彩画」を追加することもできる。このように、高い学年については、低い学年の場合に提示されない選択肢を提示するようにすることも好ましい。
【００９８】
上記実施例においては、ユーザインターフェイス画面ＵＩ１に、「クレヨン画」、「色鉛筆画」、「水彩画」の３個の選択肢が提示され、ユーザが、それらの選択肢の中からタッチを選択することによって、タッチ情報がシステムに対して入力される。しかし、タッチ情報の入力は、ユーザに対して選択肢を提示して選択させる態様に限らず、たとえば、タッチを規定する複数のパラメータの値をユーザに入力させることにより、行われるなど、他の対応で行われることもできる。
【００９９】
Ｂ１１．変形例１１：
上記実施例においては、同じタッチが選択された場合であっても、入力された学年が高いほど詳細な画像が再現され得るように、写真画像データを加工される（図６のステップＳ２５０）。しかし、学年によらず、選択された画像およびタッチが同じである場合には、同じ画像となるように、写真画像データの加工を行うこともできる。
【０１００】
Ｂ１２．変形例１２：
図６のステップＳ２７０の処理においては、文章テンプレートの空欄部に挿入する言葉も、学年に応じて変更することが好ましい。たとえば、領域を表す領域情報や、移動手段情報に応じて定められる単語についても、各学年で学習する漢字のみを使用して表記するなど、表記内容を変更することが好ましい。たとえば、指定された学年が小学６年生である場合においては「パンダ舎」と表記され、一方、指定された学年が小学１年生である場合においては「パンダのところ」と表記されることができる。
【０１０１】
Ｂ１３．変形例１３：
上記実施例では、図６の処理における画像情報の出力（ステップＳ２５０）と文章情報の出力（同、ステップＳ２８０）は、パーソナルコンピュータ３００の表示パネル３０２による表示を通じて行われる。しかし、画像情報の出力と文章情報の出力は、携帯電話２００や他の端末を介して行われることもできる。また、文章情報の出力は、音声出力とすることもできる。
【０１０２】
Ｂ１４．変形例１４：
上記実施例では、事象の記録を完了した後、学年を入力して、文章を作成している（図４および図６参照）。しかし、事象の記録前、または記録中に学年を入力して、事象の記録をしつつ、文章を作成して、保存することもできる。
【０１０３】
Ｂ１５．変形例１５：
上記実施例では、ＧＰＳを利用する態様について説明したが、現在位置の情報の生成は、ＧＬＯＮＡＳＳ（ＧｌｏｂａｌＮａｖｉｇａｔｉｏｎ Ｓａｔｅｌｌｉｔｅ Ｓｙｓｔｅｍ）、Ｇａｌｉｌｅ ｏなどのＧＰＳ以外の他の衛星測位システム（Ｓａｔｅｌｌｉｔｅ  Ｎａｖｉｇａｔｉｏｎ  Ｓｙｓｔｅｍ）、言い換えれば、世界的航法衛星システム（ＧＮＳＳ：Ｇｌｏｂａｌ  Ｎａｖｉｇａｔｉｏｎ  Ｓｙｓｔｅｍ）によってもよい。また、たとえば、移動端末における位置情報の生成は、携帯電話の基地局のみに基づいて、行ってもよい。そのような態様においては、移動端末は、世界的航法衛星システムの受信装置を備えない態様とすることができる。さらに、移動端末において位置情報を生成する構成要素は、複数の方式、たとえば、衛星測位システムを利用した方式と、携帯電話の基地局を利用する方式を併用する態様とすることもできる。
【０１０４】
すなわち、移動端末において位置情報を生成する構成要素は、現在位置の情報を特定できるものであれば、どのような原理に基づくもの、どのような機関が運営するシステムを利用するものであってもよい。
【０１０５】
Ｂ１６．変形例１６：
上記実施例においては、絵日記作成支援システムは、その構成要素として、絵日記サーバ１００と、天気情報サーバ１５０と、交通情報サーバ１８０と、携帯電話２００と、パーソナルコンピュータ３００と、を含む。しかし、ユーザが携帯し、ＧＰＳユニットを備える携帯端末に、絵日記サーバ１００やパーソナルコンピュータ３００など、他の構成要素の機能を備える態様とすることもできる。また、絵日記サーバ１００と、天気情報サーバ１５０とは、同じサーバであってもよい。そして、交通情報サーバ１８０が、絵日記サーバ１００と同じサーバであってもよい。なお、携帯端末は、いわゆるフィーチャーフォンやスマートフォンであってもよく、電話機能を備えない機器としての、ＰＤＡ（Ｐｅｒｓｏｎａｌ  Ｄａｔａ  Ａｓｓｉｓｔａｎｔ）や、他のコンピュータなどとすることもできる。すなわち、携帯端末は、ユーザが携帯でき、現在位置を特定することができる装置であればよい。
【０１０６】
すなわち、案内装置としての絵日記作成支援システムは、その各構成要素が一つの筐体内に収納されている一つの装置であってもよい。また、絵日記作成支援システムは、その構成要素が、互いにデータ通信回線で結ばれている２以上の装置として構成されるものとすることもできる。経路データを生成する機能、特定領域を選択する機能などの各機能については、各装置に１以上の任意の機能を割り当てることができる。そして、各機能は、それぞれ一つの装置で実現されてもよく、２以上の装置が協働して実現してもよい。なお、２以上の構成要素が通信回線で結ばれている態様においては、ユーザに対して情報を出力する出力部は、ユーザに携帯されるものであることが好ましい。
【０１０７】
Ｂ１７．変形例１７：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、アプリケーションソフトウェアの機能の一部を制御回路が実行するようにすることもできる。
【０１０８】
このような機能を実現するコンピュータプログラムは、磁気ディスクやＣＤ−ＲＯＭ等の、コンピュータ読み取り可能な記録媒体に記録された形態で提供される。ホストコンピュータは、その記録媒体からコンピュータプログラムを読み取って内部記憶装置または外部記憶装置に転送する。あるいは、通信経路を介してプログラム供給装置からホストコンピュータにコンピュータプログラムを供給するようにしてもよい。コンピュータプログラムの機能を実現する時には、内部記憶装置に格納されたコンピュータプログラムがホストコンピュータのマイクロプロセッサによって実行される。また、記録媒体に記録されたコンピュータプログラムをホストコンピュータが直接実行するようにしてもよい。
【０１０９】
この明細書において、ホストコンピュータとは、ハードウェア装置とオペレーションシステムとを含む概念であり、オペレーションシステムの制御の下で動作するハードウェア装置を意味している。コンピュータプログラムは、このようなホストコンピュータに、上述の各部の機能を実現させる。なお、上述の機能の一部は、アプリケーションプログラムでなく、オペレーションシステムによって実現されていても良い。
【０１１０】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【符号の説明】
【０１１１】
１００…絵日記サーバ
１０２…通信部
１０４…制御部
１０６…記憶部
１１１…位置情報記録部
１１２…天気情報記録部
１１３…事象記録部
１１４…交通情報記録部
１１５…文章作成部
１１６…画像作成部
１５０…天気情報サーバ
１５２…通信部
１５４…制御部
１５６…天気データベース
１８０…交通情報サーバ
１８２…通信部
１８４…制御部
１８６…交通情報データベース
２００…携帯電話
２０１…ＧＰＳユニット
２０２…表示パネル
２０３…音声出力部
２０４…振動機構
２０５…通信部
２０６…コマンド入力部
２０６ａ…タッチパネル
２０６ｂ…カーソルキー
２１０…主制御部
２１１…ＣＰＵ
２１２…ＲＡＭ
２１３…ＲＯＭ
２２０…通話制御部
２３１…位置情報記録部
２３２…事象記録部
２４２…カメラ部
３００…パーソナルコンピュータ
３０２…表示パネル
３０５…通信部
３０６…コマンド入力部
３０６ａ…キーボード
３０６ｂ…マウス
３０７…記憶部
３１０…主制御部
３１１…ＣＰＵ
３１２…ＲＡＭ
３１３…ＲＯＭ
３３１…文章作成部
３３２…画像作成部
Ａｓ…ユーザに学年の入力を促す第３の部分
Ｄａ…行動記録データ
ＩＮＴ…インターネット
Ｉｃ…天気情報
Ｉｅ…事象情報
Ｉｉ…領域進入情報
Ｉｊ…渋滞情報
Ｉｍ…移動手段情報
Ｉｏ…領域離脱情報
Ｉｐ…位置情報
Ｉｔ…時刻情報
Ｐｄ…参考文章を表す第５の部分
Ｐｓ…ユーザに写真の選択を促す第１の部分
ＳＰ…選択された写真画像データの写真画像を示す第４の部分
ＳＰｄ…確定ボタン
Ｓｍ１〜Ｓｍ９…サムネイル
Ｔ１〜Ｔ３…タッチの選択肢
Ｔｄ１…小学１年生用の文章テンプレート
Ｔｄ６…小学６年生用の文章テンプレート
Ｔｓ…ユーザにタッチの選択を促す第２の部分
ＵＩ１，ＵＩ２…ユーザインターフェイス画面
【図１】
2014067122.tif 000003
【図２】
2014067122.tif 000004
【図３】
2014067122.tif 000005
【図４】
2014067122.tif 000006
【図５】
2014067122.tif 000007
【図６】
2014067122.tif 000008
【図７】
2014067122.tif 000009
【図８】
2014067122.tif 000010